(57)【要約】【課題】キャリッジ構造体の構造を根本から見直して、部品の有効利用を通じてキャリッジ構造体の小型化、軽量化を図る。【解決手段】本発明のキャリッジ構造体１０は、キャリッジ構造体１０を構成する構成部材の一部として記録ヘッド１３を構成する構成部材の一部を使用している。具体的にはキャリッジ構造体１０はキャリッジガイド軸１２と嵌合する軸受部５８とキャリッジ構造体１０を駆動する駆動伝達手段としてのタイミングベルト５４の係止構造とを備えるメインフレーム５５と、記録ヘッド１３の一部の構成部材である記録ヘッド支持板５６と、記録ヘッド支持板５６の前端寄りの下面に設けられている摺接支持部材６０とを備えている。【選択図】図９
2006264327.tif 000002
【特許請求の範囲】
【請求項１】
記録ヘッドを保持して記録ヘッドを主走査方向に往復動させるキャリッジ構造体であって、
前記キャリッジ構造体を構成する構成部材の一部として記録ヘッドを構成する構成部材の一部を使用したことを特徴とするキャリッジ構造体。
【請求項２】
請求項１において、前記キャリッジ構造体は、被記録材の搬送方向上流側に設けられるキャリッジガイド軸と、被記録材の搬送方向下流側に設けられる摺接支持部材との２点支持構造によって構成されていることを特徴とするキャリッジ構造体。
【請求項３】
請求項２において、前記キャリッジ構造体は、
キャリッジガイド軸と嵌合する軸受部とキャリッジ構造体を駆動する駆動伝達手段の係止構造とを備えるメインフレームと、
記録ヘッドの一部の構成部材である記録ヘッド支持板と、
記録ヘッド支持板の前端寄りの下面に設けられている記録装置本体におけるサブフレームの上面に摺接する摺接支持部材と、
を備えていることを特徴とするキャリッジ構造体。
【請求項４】
請求項１〜３のいずれか１項において、前記キャリッジ構造体にはインクカートリッジから供給されるインクを記録ヘッドに導く記録ヘッドに対するインクチューブの接続構造が搭載されていることを特徴とするキャリッジ構造体。
【請求項５】
記録ヘッドと、該記録ヘッドを保持して記録ヘッドを主走査方向に往復動させるキャリッジ構造体と、該キャリッジ構造体を保持して主走査方向へのキャリッジ構造体の移動を案内するキャリッジガイド軸とを備える記録装置であって、
前記キャリッジ構造体として請求項１〜４のいずれか１項に記載したキャリッジ構造体を適用したことを特徴とする記録装置。
【請求項６】
液体噴射ヘッドと、該液体噴射ヘッドを保持して液体噴射ヘッドを主走査方向に往復動させるキャリッジ構造体と、該キャリッジ構造体を保持して主走査方向へのキャリッジ構造体の移動を案内するキャリッジガイド軸とを備える液体噴射装置であって、
前記キャリッジ構造体はキャリッジ構造体を構成する構成部材の一部として液体噴射ヘッドを構成する構成部材の一部を使用したことを特徴とする液体噴射装置。
【発明の詳細な説明】
【技術分野】
【０００１】
本発明は、記録ヘッドを保持して記録ヘッドを主走査方向に往復動させるキャリッジ構造体及び該キャリッジ構造体を備えた記録装置に関する。  
更に本発明はインク等の液体をそのヘッドから吐出（噴射）して被記録材（被液体噴射材）に記録を実行する（液体を付着する）インクジェット式記録装置などの液体噴射装置、該液体噴射装置において設けられるキャリッジ構造体に関するものである。
【０００２】
ここで液体噴射装置とは、インクジェット式記録ヘッドが用いられ、該記録ヘッドからインクを吐出して被記録材に記録を行なうプリンタ、複写機およびファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
以下、インクジェット式記録装置あるいは液体噴射装置の一例であるインクジェットプリンタを例にとって説明する。  
インクジェットプリンタには、記録ヘッドを保持して記録ヘッドを主走査方向に往復動させるキャリッジ構造体が設けられている。従来のキャリッジ構造体は、下記の特許文献１に示すように単一部材によって構成されており、キャリッジ構造体の一部に記録ヘッドを受け入れるバスタブ状の開口部が形成されていた。この開口部は、記録ヘッドの設置スペースになっていて、上記開口部に取り付けられる記録ヘッドの支持構造との間で構造の二重化が生じ、キャリッジ構造体の幅寸法を記録ヘッドの幅寸法より左右それぞれ５、６ｍｍ程度ずつ大きくしていた。
【０００５】
一方、最近ではインクジェットプリンタの小型化、軽量化が急速に進展しており、キャリッジ構造体の小型化、軽量化も避けては通れない急務な課題となってきた。特に、可搬タイプ等の極めてコンパクトなインクジェットプリンタにあっては、インクカートリッジがプリンタ本体に対して装着され、キャリッジ構造体には装着されない方式を採用していることから、キャリッジ構造体の構造を見直し、小型、軽量で機能的な新たなキャリッジ構造体の開発が望まれていた。
【０００６】
【特許文献１】特開２０００−２１８７７１号公報
【発明の開示】
【発明が解決しようとする課題】
【０００７】
そこで本発明は、このような背景技術及び背景技術が抱えていた問題点の存在を踏まえて発案されたものであって、キャリッジ構造体の構造を根本から見直して、部品の有効利用を通じてキャリッジ構造体の小型化、軽量化を図った新規なキャリッジ構造体及び該キャリッジ構造体を備えた記録装置等を提供することを課題とするものである。
【課題を解決するための手段】
【０００８】
上記課題を解決するために本発明の第１の態様に係るキャリッジ構造体は、記録ヘッドを保持して記録ヘッドを主走査方向に往復動させるキャリッジ構造体であって、前記キャリッジ構造体を構成する構成部材の一部として記録ヘッドを構成する構成部材の一部を使用したことを特徴とするものである。  
本発明の第１の態様によれば、キャリッジ構造体の一部に記録ヘッドの構成部材を使用するという今までに無い着想によって部品の有効利用を通じてキャリッジ構造体の小型化、軽量化を図ることが可能となる。
【０００９】
本発明の第２の態様に係るキャリッジ構造体は、第１の態様において、前記キャリッジ構造体は、被記録材の搬送方向上流側に設けられるキャリッジガイド軸と、被記録材の搬送方向下流側に設けられる摺接支持部材との２点支持構造によって構成されていることを特徴とするものである。  
本発明の第２の態様によれば、キャリッジガイド軸を本来のキャリッジ構造体の構成部材によって保持し、摺接支持部材を記録ヘッドの一部の構成部材によって保持するように構成することが可能となり、離れた部位に位置する２つの支持部を記録ヘッドの構成部材を介在させることによって一体化させることが可能となる。
【００１０】
本発明の第３の態様に係るキャリッジ構造体は、第２の態様において、前記キャリッジ構造体は、キャリッジガイド軸と嵌合する軸受部とキャリッジ構造体を駆動する駆動伝達手段の係止構造とを備えるメインフレームと、記録ヘッドの一部の構成部材である記録ヘッド支持板と、記録ヘッド支持板の前端寄りの下面に設けられている記録装置本体におけるサブフレームの上面に摺接する摺接支持部材とを備えていることを特徴とするものである。  
本発明の第３の態様によれば、極限まで奥行き寸法を小さく設定できるメインフレームと、既存の記録ヘッド支持板と、該記録ヘッド支持板に対して設けられる摺接支持部材とを備えるだけの簡単な構造によってキャリッジ構造体を構成できるから、キャリッジ構造体の小型、軽量化を比較的容易に達成することができる。
【００１１】
本発明の第４の態様に係るキャリッジ構造体は、第１〜第３のいずれか１つの態様において、前記キャリッジ構造体にはインクカートリッジから供給されるインクを記録ヘッドに導く記録ヘッドに対するインクチューブの接続構造が搭載されていることを特徴とするものである。  
本発明の第４の態様によれば、キャリッジ構造体にインクカートリッジを装着するための収容ケースが不要となるから、キャリッジ構造体の更なる小型、軽量化を達成することが可能となり、可搬タイプ等の極めて小型、軽量の記録装置にも対応できるようになる。
【００１２】
本発明の第５の態様に係る記録装置は、記録ヘッドと、該記録ヘッドを保持して記録ヘッドを主走査方向に往復動させるキャリッジ構造体と、該キャリッジ構造体を保持して主走査方向へのキャリッジ構造体の移動を案内するキャリッジガイド軸とを備える記録装置であって、前記キャリッジ構造体として第１〜第４のいずれか１つの態様のキャリッジ構造体を適用したことを特徴とするものである。  
本発明の第５の態様によれば、キャリッジ構造体の一部に記録ヘッドの構成部材を使用するという画期的な着想によって部品の有効利用を通じてキャリッジ構造体の小型化、軽量化を図ることが可能となる。そして可搬タイプ等の極めて小型、軽量の記録装置を提供することが可能となる。
【００１３】
本発明の第６の態様に係る液体噴射装置は、液体噴射ヘッドと、該液体噴射ヘッドを保持して液体噴射ヘッドを主走査方向に往復動させるキャリッジ構造体と、該キャリッジ構造体を保持して主走査方向へのキャリッジ構造体の移動を案内するキャリッジガイド軸とを備える液体噴射装置であって、前記キャリッジ構造体はキャリッジ構造体を構成する構成部材の一部として液体噴射ヘッドを構成する構成部材の一部を使用したことを特徴とするものである。
【発明を実施するための最良の形態】
【００１４】
以下、本願発明に係るキャリッジ構造体及び該キャリッジ構造体を備えた液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００１５】
図１はインクジェットプリンタのカバーを取り外した状態を示す斜視図、図２はインクジェットプリンタの内部構造の概略を示す側断面図である。尚、ここで説明するインクジェットプリンタ１００は、比較的小型、軽量で持ち運びに適したシンプルな構成の可搬型のインクジェットプリンタである。
【００１６】
最も奥部側、搬送方向上流側に位置するのが給送用カセット４である。該給送用カセット４は、図１、図２に示すように液体噴射装置本体、そして記録装置本体の一例であるプリンタ本体３の後部上方寄りの部位に前下がり傾斜姿勢で設けられている。従って、プリンタ本体３には、一般に常設されている給送用トレイは設けられておらず、給送用トレイとしての機能を給送用カセット４が担っている。
【００１７】
給送用カセット４内に収容された多数枚の積畳された被液体噴射材の一例である被記録材Ｐ（以下単に用紙Ｐともいう）は、給送用カセット４の先端部下方に設けられるホッパー押上げカム３０によってホッパー板１６を介して用紙Ｐの先端部が上方に押し上げられる。従って、用紙Ｐの先端部は、ホッパー板１６と、上方に位置する給送用ローラ１４とによって挟圧され、給送用ローラ１４の回転軸１７を中心として回転に伴う挟圧送り作用によって給送用カセット４内に積畳された上位の用紙Ｐが搬送経路に向けて引き出される。
【００１８】
また、引き出された用紙Ｐが複数枚に亘る場合には、重送された後続の用紙Ｐを最上位の用紙Ｐから分離する分離作用部の一例である図示しない分離パッドと、分離された後続の用紙Ｐを給送用カセット４内に戻す図示しない戻しレバーとによって最上位の１枚の用紙Ｐのみが選択されて搬送経路に導かれる。
【００１９】
給送用ローラ１４の下方には、前方（図２中、左方）に向けて低くなるように傾斜する搬送ガイド３２が設けられている。給送用ローラ１４とホッパー板１６とによる挟圧送り作用によって引き出された最上位の用紙Ｐは、上記搬送ガイド３２によって案内されて搬送用ローラ１９の上方に導かれる。また、搬送用ローラ１９の手前の搬送方向上流側には、用紙Ｐの通過を検出する被液体噴射材検出手段の一例である図示しない被記録材検出手段（以下単に検出レバーという）が設けられている。
【００２０】
搬送用ローラ１９の搬送方向下流側には記録ポジション２６が形成されている。記録ポジション２６には、用紙Ｐに記録を実行する液体噴射実行手段の一例である記録実行手段の主たる構成要素として、主走査方向Ｘに往復可能に走行し得るキャリッジガイド軸１２によって軸支されたキャリッジ１０が設けられている。そして、該キャリッジ１０の下面には、用紙Ｐに液体の一例であるインクを吐出（噴射）して記録を直接実行する液体噴射ヘッドの一例である記録ヘッド１３が搭載されている。また、キャリッジ１０には、一例としてプリンタ本体３の底部に背面から装着される液体カートリッジの一例であるインクカートリッジＣから延びているＵ字状ないしＪ字状に湾曲した液体チューブの一例であるインクチューブ５の先端部が接続され、図示しない液体流路の一例であるインク流路を通って記録ヘッド１３内へ導かれている。
【００２１】
記録ヘッド１３の下方には、記録ヘッド１３と対向して記録ヘッド１３のヘッド面と用紙Ｐとの間のプラテンギャップＰＧを規定するプラテン２８が設けられている。そして、キャリッジ１０とプラテン２８との間に用紙Ｐを主走査方向Ｘと直交する副走査方向Ｙに所定の搬送量で搬送する動作と、記録ヘッド１３を主走査方向Ｘに一往復させる間に記録ヘッド１３から用紙Ｐにインクを噴射する動作とを交互に繰り返すことによって用紙Ｐの記録面の全面に亘っての所望の記録が実行される。尚、上記プラテンギャップＰＧは、高精度の記録を実行する上で極めて重要な要素となっており、用紙Ｐの厚さの変化等に応じて適宜調節されるようになっている。
【００２２】
記録ヘッド１３の下流には、排出用駆動ローラ２０ａと、排出用従動ローラ２０ｂとによって構成される、被液体噴射材排出手段の一例である排出用ローラ２０が設けられている。このうち排出用従動ローラ２０ｂは、その外周に複数の歯を有する歯付きローラであり、ローラホルダ２１によって自由回転可能な状態で軸支されている。また、排出用従動ローラ２０ｂは、排出用駆動ローラ２０ａよりその軸芯位置が幾分搬送方向上流側に位置するように配設されている。このような配設態様を採ることによって、用紙Ｐは僅かに下に凸となる俗に「逆ぞり」と呼ばれている湾曲状態が形成される。これにより記録ヘッド１３に対向する位置に存する用紙Ｐの部位は、プラテン２８に押し付けられ、用紙Ｐの浮き上がりが防止されて正常に記録が実行されるようになっている。
【００２３】
［実施例］
次に、このようなインクジェットプリンタ１００に設けられる本願発明に係るキャリッジ構造体１０と、該キャリッジ構造体１０と関係する周辺部材の構成を具体的に説明する。
【００２４】
図３はインクチューブの接続構造及びその周辺部材を示す左斜め前方からの斜視図、図４はインクチューブの接続構造及びその周辺部材を示す右斜め前方からの斜視図である。図５はインクチューブの接続構造及びその周辺部材を示す平面図、図６はインクチューブの接続構造及びその周辺部材を示す右側面図である。図７はインクチューブの接続構造を中心に示すためその周辺部材の一部を取り外した状態を示す右斜め後方からの斜視図、図８はインクチューブの接続構造を中心に示すためその周辺部材の一部を更に取り外した状態を示す右斜め方向からの斜視図（ａ）と、シールプレートの側断面図（ｂ）である。また図９はキャリッジ構造体を示す右斜め前方からの斜視図、図１０はキャリッジ構造体上にインクチューブの接続構造を設置した状態を示す正面図である。
【００２５】
インクチューブの接続構造１は、液体カートリッジの一例であるインクカートリッジＣから供給される液体の一例であるインクを記録ヘッド１３に導く記録ヘッド１３に対するインクチューブ５の接続構造である。そして、該インクチューブの接続構造１は、インクチューブ５の接続端３３を受け入れて保持するチューブ保持部３４と、保持されたインクチューブ５から供給されたインクを下方の記録ヘッド１３に向けて導く液体垂直導入部の一例であるインク垂直導入部３５とを備えるチューブ継手部材３６によって構成されている。また、該チューブ継手部材３６は、上記チューブ保持部３４とインク垂直導入部３５とがほぼ直角に配置された平面視略Ｌ字形状の一体成形部材である。
【００２６】
チューブ保持部３４は、キャリッジ１０の主走査方向Ｘに沿う方向に設けられており、その背面左端側から主走査方向Ｘに沿うように直線的に繰り出されたインクチューブ５が右端側においてループ状に前方に曲げられ、１８０°方向を替えて接続されている。インクチューブ５の接続端３３と対向するチューブ保持部３４の一端面３７には、チューブ受入れ口３８が形成されていて、反対側に位置する他端面近傍まで延長形成されている。そして、チューブ受入れ口３８には、インクチューブ５の接続端３３が一例として８〜１２ｍｍの比較的長い範囲に亘って挿入されている。
【００２７】
また、インクチューブ５は、比較的柔軟で弾性を有するエラストマー（ゴム状弾性体）によって形成されており、チューブ継手部材３６は、比較的硬質で剛性を有するプラスチック材料、例えばポリプロピレンによって形成されている。そして、このように性状、材質を異にするインクチューブ５とチューブ継手部材３６は、２色成形によって一体化されており、インクチューブ５の接続端３３はチューブ継手部材３６によって強固に保持されている。
【００２８】
チューブ受入れ口３８の端面には、インクチューブ５によって搬送されてきたインクをインク垂直導入部３５に導くための導入連通孔３９が形成されている。インク垂直導入部３５は、上述したチューブ保持部３４より肉薄の平板状の部材で、前記導入連通孔３９が形成されたチューブ保持部３４におけるインクチューブ５の挿入方向終端側の端部から背面に向けて垂直に延びるように配置されている。また、インク垂直導入部３５における外側面４０には、チューブ保持部３４から延びる上記導入連通孔３９に一端が接続され、水平方向に延びた後、円弧状に湾曲して鉛直方向に延びる垂直導入溝４２が形成されている。また、垂直導入溝４２の他端が記録ヘッド１３側に導く切替え連通孔４１に接続されている。
【００２９】
垂直導入溝４２は、インクカートリッジＣ及びインクチューブ５と同様、一例としてシアン、マゼンタ、イエロー、ブラックの４色のインクを個別に搬送できるよう４本が並列状態で設けられている。また垂直導入溝４２は、一例として断面形状が半円形の滑らかに湾曲した凹陥溝になっていて、該垂直導入溝４２の開口面を塞ぐようにインク垂直導入部３５の外側面４０には密閉フィルム４３が一例として気密性を保持した状態で熱溶着されている。
【００３０】
また、切替え連通孔４１は、インク垂直導入部３５の裏面側に延びており、図８に示すシールプレート４４を介してキャリッジ構造体１０上に水平に設置される液体水平導入部の一例である略平板状のインク水平導入部４５に接続されている。尚、上記シールプレート４４は、比較的柔軟で弾性を有するゴム状部材によって形成されており、上記切替え連通孔４１と連通する連接口４６の周縁にはインク垂直導入部３５側及びインク水平導入部４５側に張り出すように瘤状に膨らんだシール部４７が形成されている。またインク水平導入部４５には、下方の記録ヘッド１３にインクを導くための水平導入溝４８が形成されている。
【００３１】
また、このようにして構成されるチューブ継手部材３６は、キャリッジ構造体１０と比較してかなり小さめになっていて、図５に示すように、キャリッジ構造体１０上の前方寄りで、インクチューブ５の挿入方向終端寄りの部位に設けられている。従って、キャリッジ構造体１０上のほとんどのスペースは、インクチューブの接続構造１以外の収容スペースとして利用でき、図示の実施例では、インクチューブ５のループ部４９、ＦＦＣ５０、記録ヘッド１３に接続するコネクタ５１及び電子基板５２等の収容スペースとして利用している。
【００３２】
尚、このようにチューブ継手部材３６を平面視略Ｌ字形状とし、キャリッジ構造体１０と比較してかなり小さく、しかもキャリッジ構造体１０上のスペースを広く活用できるレイアウトを採用したことにより、以下の作用効果が得られる。キャリッジ構造体１０の移動に伴って生ずるインクチューブ５やＦＦＣ５０の自由な変形をキャリッジ構造体１０上のスペースを利用して行えるようになり、インクジェットプリンタ１００の小型化に寄与すると共に、チューブ継手部材３６がインクチューブ５やＦＦＣ５０等を保護する衝立状の保護カバーとしても機能するようになる。
【００３３】
次に、上述したインクチューブの接続構造１を搭載して記録ヘッド１３と共に主走査方向Ｘに往復動するキャリッジ構造体１０（既に使用しているようにキャリッジ１０と同一の符号「１０」を使用する）について説明する。尚、以下の説明では、キャリッジ１０の構造に着眼し、特にその構造の面からキャリッジ１０を呼称する場合にキャリッジ構造体１０の語を使用する。
【００３４】
因みに従来のキャリッジ構造体は、単一部材によって構成されており、キャリッジ構造体の一部に記録ヘッド１３を受け入れるバスタブ状の開口部が形成されていた。そしてこの開口部に取り付けられる記録ヘッドの支持構造との間で構造の二重化が生じ、キャリッジ構造体の幅寸法を記録ヘッドの幅寸法より大きくしていた。
【００３５】
これに対し、本実施例に係る本発明のキャリッジ構造体１０は、キャリッジ構造体１０の主要な構成であるメインフレーム５５を可及的に小型化し、更に記録ヘッド１３の一部である記録ヘッド支持板５６をキャリッジ構造体１０の一部の構成部材として取り込み、更にこの記録ヘッド支持板５６の前端寄りの下面にプリンタ本体３の骨格の一部を形作っているサブフレーム５７の上面に摺接する摺接支持部材６０を設けることによって構成されている。
【００３６】
従って、本実施例のキャリッジ構造体１０にあっては、上述した記録ヘッド１３の支持構造をキャリッジ構造体１０に接続するための接続構造が不要となり、上記「構造の二重化」は生じない。従って、キャリッジサイズの小型化と部品の有効利用が図られ、記録装置１００の小型化、軽量化に寄与し得る構成のキャリッジ構造体１０となっている。
【００３７】
具体的には、メインフレーム５５は、従来のキャリッジにおいて存在していた副走査方向Ｙに延び、バスタブ状の開口部が形成されていた水平部分が存在せず、キャリッジガイド軸１２に外嵌する軸受部５８と、駆動伝達手段としてのタイミングベルト５４の一部に係止される図示しない係止構造と、記録ヘッド支持板５６と連結するための連結部５９のみを備える極めてシンプルで奥行き寸法を極限まで小さくした構造になっている。
【００３８】
記録ヘッド支持板５６は、上述したように記録ヘッド１３の一部であり、平板状をした部材で下面に記録ヘッド１３の要部であるヘッドケース６１が一体に設けられている。また、記録ヘッド支持板５６は、ヘッドケース６１が設けられている部位より更に前方に張り出すように延長形成されており、その延長形成部６２の前端寄りの下面に上述した摺接支持部材６０が下方のサブフレーム５７側に突出するように設けられている。
【００３９】
摺接支持部材６０は、図６及び図９に示すように、中央が下方に突出したブロック状の部材でキャリッジガイド軸１２と共に記録ヘッド１３の水平姿勢を維持する役割を有している。そして、キャリッジ構造体１０ないし記録ヘッド１３は、キャリッジガイド軸１２と軸受部５８、及び摺接支持部材６０とサブフレーム５７とによって案内ないし支持されて主走査方向Ｘに向けて水平に往復動し得るように構成されている。
【００４０】
［他の実施例］
図１１はキャリッジ構造体の他の実施例を示す側面図であり、図１２は同キャリッジ構造体の斜視図である。この実施例では、摺接支持部材６０が記録ヘッド１３の一部である記録ヘッド支持板５６の延長形成部６２の先端下面に一体成形によって一体的に形成されている。メインフレーム５５及び記録ヘッド支持板５６、更にサブフレーム５７が前記実施例（図９まで）と形状が異なっているのは、他の機種用に設計変更されたことに因るものであり、本件発明との関係においては、基本的構造は共通するので、前記実施例と同一部分に同一符号を付して具体的な説明は省略する。  
摺接支持部材６０を前記の如く記録ヘッド支持板５６と一体成形により形成したことで、サブフレーム５７に対する当該摺接支持部材６０の摺接移動が安定し、もってキャリッジ１０の往復移動の安定性が向上する。
【００４１】
図１３はこの実施例のキャリッジ構造体１０についての図３に対応する斜視図、図１４は当該実施例についての図４に対応する斜視図、図１５は当該実施例についての図５に対応する平面図、図１６は当該実施例についての図６に対応する側面図、図１７は当該実施例についての図７に対応する斜視図、図１８は当該実施例についての前方斜め下方からの斜視図、図１９は当該実施例についての後方斜め下方からの斜視図、図２０は当該実施例についてチューブ継手部材を外した状態の前方斜め下方からの斜視図、図２１は当該実施例にに係るチューブ継手部材の密閉フィルムを貼る前の状態の正面図である。
【００４２】
この実施例においては、チューブ継手部材３６の垂直導入溝４２を通って送られるインクは、そのまま重力方向に沿って当該チューブ継手部材３６から流出するように構成されている。すなわち、先の実施例におけるシールプレート４４を使わずに、直接当該チューブ継手部材３６の下面に形成された出口部８から記録ヘッド側に通じる入口部８（図２０参照）に直接流入するように構成されている。これにより、インク供給における滞留をなくし、円滑なインク供給を実現している。尚、これらの図に示されたその他の各部構造については、先の実施例と同一機能部分に同一符号を付してその詳しい説明は省略する。
【００４３】
［その他の実施例］
本願発明に係るキャリッジ構造体１０、該キャリッジ構造体１０を備えた記録装置１００及び液体噴射装置は、以上述べたような構成を基本とするものであるが、本願発明の要旨を逸脱しない範囲内の部分的構成の変更や省略等を行なうことも勿論可能である。
【００４４】
例えば、２色成形によってチューブ継手部材３６とインクチューブ５との充分な接続状態が得られる場合には、チューブ保持部３４におけるチューブ受入れ口３８の深さを多少浅めに設定することも可能であるし、更に強固な接続状態を得たい場合には、チューブ保持部３４の主走査方向Ｘの長さ寸法を長くしてチューブ受入れ口３８の深さを深くすることも可能である。また、チューブ継手部材３６の形状は、厳格な意味での平面視Ｌ字形状に限らず、チューブ保持部３４とインク垂直導入部３５とが９０°を中心とする１０°前後増減した角度で接合するものやチューブ保持部３４とインク垂直導入部３５とを円弧状に湾曲させた状態で接合するもの等をも包含する広汎な意味で使用するものである。従ってこれらを含める意味を込めて平面視略Ｌ字形状の語を使用した。
【００４５】
また、キャリッジ構造体１０は、キャリッジガイド軸１２と軸受部５８とによる案内支持作用のみで記録ヘッド１３の水平姿勢を維持できる時には、摺接支持部材６０を省略することも可能である。逆に記録ヘッド１３の水平姿勢を更に万全に維持したい場合にはキャリッジガイド軸１２を２本設け、２本のキャリッジガイド軸１２を個別に保持する２つの軸受部５８を設けるようにしたり、メインフレーム５５側にもプリンタ本体３内の他のフレームに摺接するガイド機構を増設することも可能である。
【図面の簡単な説明】
【００４６】
【図１】インクジェットプリンタのカバーを取り外した状態を示す斜視図。
【図２】インクジェットプリンタの内部構造の概略を示す側断面図。
【図３】インクチューブの接続構造及びその周辺部材を示す斜視図。
【図４】インクチューブの接続構造及びその周辺部材を示す別角度の斜視図。
【図５】インクチューブの接続構造及びその周辺部材を示す平面図。
【図６】インクチューブの接続構造及びその周辺部材を示す右側面図。
【図７】インクチューブの接続構造を中心に示す斜視図。
【図８】シールプレートの設置状態の斜視図（ａ）と、拡大側面図（ｂ）。
【図９】キャリッジ構造体を示す斜視図。
【図１０】キャリッジ構造体の設置状態を示す正面図。
【図１１】キャリッジ構造体の他の実施例を示す側面図。
【図１２】キャリッジ構造体の同他の実施例を示す斜視図。
【図１３】同他の実施例のキャリッジ構造体についての図３に対応する斜視図。
【図１４】同他の実施例についての図４に対応する斜視図。
【図１５】同他の実施例についての図５に対応する平面図。
【図１６】同他の実施例についての図６に対応する側面図。
【図１７】同他の実施例についての図７に対応する斜視図。
【図１８】同他の実施例についての前方斜め下方からの斜視図。
【図１９】同他の実施例についての後方斜め下方からの斜視図。
【図２０】同他の実施例についてチューブ継手部材を外した状態の前方斜め下方からの斜視図。
【図２１】同他の実施例にに係るチューブ継手部材の密閉フィルムを貼る前の状態の正面図。
【符号の説明】
【００４７】
１  （インクチューブの）接続構造、３  プリンタ本体（記録装置本体）、４  給送用カセット、５  インクチューブ、７  入口部、８  出口部、１０  キャリッジ（キャリッジ構造体）、１２  キャリッジガイド軸、１３  記録ヘッド、１４  給送用ローラ、１６  ホッパー板、１７  回転軸（給送用ローラの）、１９  搬送用ローラ、２０  排出用ローラ、２０ａ  排出用駆動ローラ、２０ｂ  排出用従動ローラ、２１  ローラホルダ（排出用従動ローラの）、２６  記録ポジション、２８  プラテン、３０  ホッパー押上げカム、３２  搬送ガイド、３３  接続端、３４  チューブ保持部、３５  インク垂直導入部、３６  チューブ継手部材、３７  一端面、３８  チューブ受入れ口、３９  導入連通孔、４０  外側面、４１  切替え連通孔、４２  垂直導入溝、４３  密閉フィルム、４４  シールプレート、４５  インク水平導入部、４６  連接口、４７  シール部、４８  水平導入溝、４９  ループ部、５０  フレキシブルフラットケーブル（ＦＦＣ）、５１  コネクタ、５２  電子基板、５４  タイミングベルト（駆動伝達手段）、５５  メインフレーム、５６  記録ヘッド支持板、５７  サブフレーム、５８  軸受部、５９  連結部、６０  摺接支持部材、６１  ヘッドケース、６２  延長形成部、１００  インクジェットプリンタ（記録装置）、Ｐ  用紙（被記録材）、Ｘ  主走査方向、Ｙ  副走査方向、ＰＧ  プラテンギャップ、Ｃ  インクカートリッジ
【図１】
2006264327.tif 000003
【図２】
2006264327.tif 000004
【図３】
2006264327.tif 000005
【図４】
2006264327.tif 000006
【図５】
2006264327.tif 000007
【図６】
2006264327.tif 000008
【図７】
2006264327.tif 000009
【図８】
2006264327.tif 000010
【図９】
2006264327.tif 000011
【図１０】
2006264327.tif 000012
【図１１】
2006264327.tif 000013
【図１２】
2006264327.tif 000014
【図１３】
2006264327.tif 000015
【図１４】
2006264327.tif 000016
【図１５】
2006264327.tif 000017
【図１６】
2006264327.tif 000018
【図１７】
2006264327.tif 000019
【図１８】
2006264327.tif 000020
【図１９】
2006264327.tif 000021
【図２０】
2006264327.tif 000022
【図２１】
2006264327.tif 000023